(57)【要約】【課題】容器内容物である粉粒体あるいは粉末体の振り出し量の調整が容易であり、粉粒体あるいは粉末体の振り出し量を目視で見極めることができる。【解決手段】複数の振り出し孔３１が設けられる中蓋３０と、中蓋３０を介して容器１の口部３に取り付けられる外蓋９と、外蓋９に設けられるスライド壁２２とを備える。スライド壁２２は、外蓋９の胴部１０の側部に押し込んだ格納位置と、胴部１０の先端から引き出した使用位置との間でスライド可能である。スライド壁２２を、振り出し時に、引き出して使用位置とすれば、振り出し孔３１から振り出された粉粒体あるいは粉末体をスライド壁２２に映えさせ、振り出し量を目視で見極めることができる。【選択図】図５
2016060495.tif 000002
【特許請求の範囲】
【請求項１】
容器の口部に着脱可能に取り付けられ、前記容器を振る動作を行なうことで前記容器の内容物である粉粒体あるいは粉末体を振り出すのに用いるものであって、
複数の振り出し孔が設けられ前記口部に対応する大きさを有する中蓋と、前記中蓋を介して前記口部に取り付けられる外蓋と、前記外蓋に設けられるスライド壁とを備え、
前記外蓋は、前記口部との間に前記中蓋を回転可能に保持する筒状の胴部と、前記胴部に開閉ヒンジを介して取り付けられる蓋部とを有し、
前記胴部は、前記中蓋の一部を露出させる窓部を有する中蓋押さえを有し、前記中蓋を回転させることで前記窓部を通じての前記中蓋の露出部分を変更可能に構成され、
前記スライド壁は、前記胴部に、前記蓋部が設けられている部位からずれて、前記胴部の側部に押し込んだ格納位置と、前記胴部の先端から引き出した使用位置との間をスライド可能に設けられていることを特徴とするスライド壁付き振り出し孔選択キャップ。
【請求項２】
前記中蓋の振り出し孔が設けられている部分は、中心回りに扇形状の、複数の領域に区分され、
前記各領域は、前記振り出し孔の数あるいは開孔面積が異なり、前記中蓋押さえの窓部に対応しており、
前記蓋部の内側に、前記窓部に嵌脱可能に嵌り込む凸部が設けられていることを特徴とする請求項１記載のスライド壁付き振り出し孔選択キャップ。
【請求項３】
前記スライド壁は、前記胴部に対し、前記胴部の中心軸回りにおいて、前記蓋部が設けられている部位から略９０度ずれた部位に設けられていることを特徴とする請求項１または２記載のスライド壁付き振り出し孔選択キャップ。
【請求項４】
前記スライド壁は、弾性材料で成形され、中央部が中央案内部に、両側部が側部案内部にそれぞれスライド可能に保持され、前記中央案内部には案内孔が設けられ、前記案内孔を通じて、前記スライド壁の移動用ノブが突出していることを特徴とする請求項１〜３のいずれか１つに記載のスライド壁付き振り出し孔選択キャップ。
【請求項５】
前記中蓋は、前記容器内の湿度を低く維持する乾燥機能付樹脂で製造されていることを特徴とする請求項１〜４のいずれか１つに記載のスライド壁付き振り出し孔選択キャップ。
【発明の詳細な説明】
【技術分野】
【０００１】
本発明は、スライド壁付き振り出し孔選択キャップに関するものである。
【背景技術】
【０００２】
例えば味の素や味塩や胡椒や唐辛子などの粉粒体あるいは粉末体（容器内容物）を貯留する容器は、その口部に一つまたは複数の振り出し孔を有する内蓋を装着して、その内蓋を覆う外蓋をワンタッチで開放し、その後、振り出し孔が下側に向くように容器を仕向け、該容器自体を振る動作を行なうことで粉粒体あるいは粉末体を振り出すのが一般的である。
【０００３】
ところが、この種のキャップは、通常、振り出し孔の孔面積が一定（不変）のため、目的とする振り出し量を得るために、前記粉粒体あるいは粉末体の性質や貯留量や湿り具合、並びに容器の振り具合や強さや角度によって振り加減を調整するが、安定した振り出し量を得るのは困難である。
【０００４】
そこで、前記容器内の粉粒体あるいは粉末体の振り出し量を簡便な操作によって調整し得る、使い勝手のよい振り出し容器用キャップが先に提案されている（例えば、特許文献１参照）。
【０００５】
そのキャップは、ベースの天面板に、少量排出、中量排出、大量排出など、排出量目標ごとに一括りとした振り出し孔の集合体を複数設けておき、蓋体に設けた窓孔を各集合体に対応させるべく、カバーを被せたままで該蓋体を回動させるようにしたため、内容物である粉粒体あるいは粉末体の振り出し量を簡単な操作のもとに変更することが可能となり、使い勝手が改善されている。
【先行技術文献】
【特許文献】
【０００６】
【特許文献１】特開２０１１−１１１２２５号公報
【発明の開示】
【発明が解決しようとする課題】
【０００７】
特許文献１に記載のものでは、振り出し量を調整するには、カバーを容器に被せ、カバーの突起を蓋体のリブに充てがい、カバーを回動して蓋体の窓孔を、固定されたベースの集合体に合わせ、カバーを外すという多くの操作が必要である。その上に、振り出し後は同様の操作で蓋体の窓孔をベースの閉鎖部に合わせておくという操作を必要とし、面倒である。
【０００８】
それに加えて、蓋体の軸部に粉粒体あるいは粉末体が付着・固結したり、振り出した粉粒体あるいは粉末体が蓋体の窓桟に沈着・固結したりするという衛生上の懸念がある。
【０００９】
また、調理中や食卓で容器内の粉粒体あるいは粉末体を振り出したときに、それが背景に紛れてよく見えないため、粉粒体あるいは粉末体の振り出し量の多少を見極めるのが困難である。
【００１０】
本発明は、内容物である粉粒体あるいは粉末体の振り出し量の調整が容易であり、振り出し時に前記粉粒体あるいは粉末体が中蓋、蓋部などに滞留しにくく、また振る動作で振り出される粉粒体あるいは粉末体が見え、振り出し量の多少を見極めが容易であるスライド壁付き振り出し孔選択キャップを提供することを目的とする。
【課題を解決するための手段】
【００１１】
請求項１の発明は、容器の口部に着脱可能に取り付けられ、前記容器を振る動作を行なうことで前記容器の内容物である粉粒体あるいは粉末体を振り出すのに用いるものであって、複数の振り出し孔が設けられ前記口部に対応する大きさを有する中蓋と、前記中蓋を介して前記口部に取り付けられる外蓋と、前記外蓋に設けられるスライド壁とを備え、前記外蓋は、前記口部との間に前記中蓋を回転可能に保持する筒状の胴部と、前記胴部に開閉ヒンジを介して取り付けられる蓋部とを有し、前記胴部は、前記中蓋の一部を露出させる窓部を有する中蓋押さえを有し、前記中蓋を回転させることで前記窓部を通じての前記中蓋の露出部分を変更可能に構成され、前記スライド壁は、前記胴部に前記蓋部が設けられている部位からずれて、前記胴部の側部に押し込んだ格納位置と、前記胴部の先端から引き出した使用位置との間をスライド可能に設けられていることを特徴とする。
【００１２】
このようにすれば、容器を振って容器内の粉粒体あるいは粉末体を振り出す前に、目的とする振り出し量に対応する領域（振り出し孔）をあらかじめ選択して、中蓋押さえの窓部に露出させることで、振り出し量の調整を容易に行える。また、振り出した粉粒体あるいは粉末体は、引き出されて使用位置にある、背景を遮ったスライド壁に映えて、振り出し量を目視で把握することができ、振り出し量の多少の見極めが容易である。
【００１３】
また、スライド壁は、不使用時には、胴部の側部に押し込んで格納位置に格納しておくことができるので、邪魔にならない。
【００１４】
それに加えて、キャップとしての構成部品が中蓋と外蓋（中蓋押さえを含む）とスライド壁との３つだけのシンプルな構造のうえ、外蓋を容器の口部に取り付けるだけで、振り出し孔基準に外蓋の蓋部の開閉ヒンジやスライド壁が自動的に定位置に配され、容器を振ることにより粉粒体あるいは粉末体を振り出すという振り出し操作を短時間で要領よく行うことができる。
【００１５】
そして、外蓋を外すだけで中蓋を取り外すことができるため、容易に洗浄でき、中蓋への粉粒体あるいは粉末体の固着、延いては粉粒体あるいは粉末体の変質・劣化を防止できる。
【００１６】
また、中蓋を複数種類持つようにすれば、容器内の粉粒体あるいは粉末体の物性や貯留量に応じて、目的とする振り出し量を得ることができる中蓋に容易に交換できる。
【００１７】
請求項２に記載のように、前記中蓋の振り出し孔が設けられている部分は、中心回りに扇形状の、複数の領域に区分され、前記各領域は、前記振り出し孔の数あるいは開孔面積が異なり、前記中蓋押さえの窓部に対応しており、前記蓋部の内側に、前記窓部に嵌脱可能に嵌り込む凸部が設けられていることが望ましい。
【００１８】
このようにすれば、一つの中蓋が、一振り当たりの振り出し量の異なる複数の振り出し孔の数あるいは開孔面積が異なる複数の領域を持つことになるので、前記複数の領域から、目的とする振り出し量に相応しい領域を選択することができる。
【００１９】
また、振り出し後は蓋部を閉めることによって、中蓋押さえの窓部に蓋部の凸部が嵌合するので、中蓋押さえの窓部の残存空気を少なくすることができる。このことは、後述の中蓋の乾燥機能向上にも寄与することができる。
【００２０】
請求項３に記載のように、前記スライド壁は、前記胴部に対し、前記胴部の中心軸回りにおいて、前記蓋部が設けられている部位から略９０度ずれた部位に設けられていることが望ましい。
【００２１】
このようにすれば、蓋部を開き、容器内の粉粒体あるいは粉末体を振り出し、前記粉粒体あるいは粉末体が落下するときに、振り出された粉粒体あるいは粉末体が背景に紛れることなくスライド壁に映るので、容器内からの粉粒体あるいは粉末体の振り出し量を容易に見極めることができる。
【００２２】
請求項４に記載のように、前記スライド壁は、弾性体で、中央部が中央案内部に、両側部が側部案内部にそれぞれスライド可能に保持され、前記中央案内部には案内孔が設けられ、前記案内孔を通じて、前記スライド壁の移動用ノブが突出している構成とすることができる。
【００２３】
このようにすれば、スライド壁を、格納位置では円筒殻状態として格納し、使用位置では略直板状態とすることでスライド壁面積を拡張でき、容器内の粉粒体あるいは粉末体がスライド壁に映える時間が増え、振り出し量を見極めやすくなる。
【００２４】
また、スライド壁の移動（引き出し・押し込み）は、移動用ノブを操作することで簡単に行える。
請求項５に記載のように、前記中蓋は、前記容器内の湿度を低く維持する乾燥機能付樹脂で製造されていることが望ましい。
【００２５】
このようにすれば、容器内に乾燥剤などを入れなくても、蓋部を閉じた状態で、容器内の湿度を低く維持し、固化・劣化・変質を防止することができる。よって、振り出し時に前記粉粒体あるいは粉末体が中蓋、蓋部などに滞留しにくくなり、粉粒体あるいは粉末体の振り出しが軽快になる。
【発明の効果】
【００２６】
本発明は、中蓋を回転させ、中蓋押さえの窓部に、目的とする振り出し量に相応しい領域（振り出し孔）を選択することで、容器内容物である粉粒体あるいは粉末体の振り出し量を調整することができ、振り出し時に、振り出された前記粉粒体あるいは粉末体をスライド壁に映えさせて振り出し量を目視で確認できる。よって、目的とする量の振り出しを簡単に見極めることができる。
【図面の簡単な説明】
【００２７】
【図１】本発明に係るスライド壁付き振り出し孔選択キャップの一実施の形態を示し、外蓋の蓋部を閉じた状態の平面図である。
【図２】同左側面図である。
【図３】図１のＡ−Ａ線断面図である。
【図４】外蓋と中蓋を外した平面図である。
【図５】外蓋の蓋部を開き、スライド壁を引き出した状態を示す平面図である。
【図６】同左側面図である。
【図７】図５のＢ−Ｂ線断面図である。
【図８】外蓋を外し、中蓋だけを残した状態を示す平面図である。
【図９】中蓋の平面図である。
【図１０】中蓋の変形例の平面図である。
【発明を実施するための形態】
【００２８】
以下、本発明の実施の形態を図面に沿って説明する。
【００２９】
図１は本発明に係るスライド壁付き振り出し孔選択キャップの一実施の形態を示し、外蓋の蓋部を閉じた状態の平面図、図２は同左側面図、図３は図１のＡ−Ａ線断面図、図４は外蓋と中蓋を外した平面図である。
【００３０】
図１〜図４において、１は調味料入れなどの容器で、外周部分がねじ部２とされた口部３を有し、その口部３に、スライド壁付き振り出し孔選択キャップが着脱可能に取り付けられている。このキャップは、複数の振り出し孔３１が設けられ口部３に対応する大きさを有する中蓋３０と、中蓋３０を介して口部３に取り付けられる外蓋９と、スライド壁２２とを備える。
【００３１】
スライド壁２２は、胴部１０に蓋部１３が設けられている部位からずれて、胴部１０の側部に押し込んだ格納位置（図１〜図３参照）と、胴部１０の先端から引き出した使用位置（図５〜図７参照）との間をスライド可能に設けられている。スライド壁２２は、伸張性に優れる弾性材料で薄肉に成形されているので、格納位置では円筒殻状態として格納される。そして、前記格納位置から引き出された使用位置では略直板状態として使用され、中蓋押さえ１１と蓋部１３との間に形成される扇状の背景をスライド壁２２が遮るようになっている。
【００３２】
スライド壁２２は、中央部が中央案内部２０に、両側部が側部案内部２１にそれぞれスライド可能に保持され、中央案内部２０には胴部１０の長手方向に延びる案内孔２０ａが設けられ、案内孔２０ａを通じて、スライド壁２２の移動用ノブ２３が突出している。この移動用ノブ２３を把持して中央案内部２０と左右の側部案内部２１とによってスライド壁２２を案内させつつスライド移動させることで、前記格納位置と前記使用位置との間の移動を無理なく行うことが可能となる。
【００３３】
ここで、スライド壁２２は、胴部１０に対し、胴部１０の中心軸回りにおいて、蓋部１３が設けられている部位から周方向において略９０度ずれた部位に設けられているが、それを設ける位置は、蓋部１３の開閉を妨げない位置であれば、特に制限されない。
【００３４】
そして、図５〜図７に示すように、外蓋９の蓋部１３を開いた状態で、スライド壁２２を引き出して容器１を振って粉粒体あるいは粉末体（例えば、調味料）を振り出せば、振り出された粉粒体あるいは粉末体は、背景を遮ったスライド壁２２に映えて、目視で見極めることができるので、比較的簡単に、目的とする振り出し量の粉粒体あるいは粉末体を精度よく振り出すことができる。
【００３５】
また、移動用ノブ２３は、中央案内部２０を押し広げて取り外し、中蓋３０の溝部３３に嵌合して中蓋３０を回転させることができる。
【００３６】
外蓋９は、筒状の胴部１０と、胴部１０に開閉ヒンジ１２を介して取り付けられる蓋部１３とを有する。胴部１０は、中蓋押さえ１１を有し、口部３と中蓋押さえ１１との間に中蓋３０を回転可能に保持する構成とされている。中蓋３０は、溝部３３が形成された突起部３２を中心に有し、突起部３２に対応して中蓋押さえ１１の中心に開口１１ｂが形成され、突起部３２が開口１１ｂを回転可能に貫通している。
【００３７】
また、中蓋押さえ１１は、中蓋３０の一部を露出させる扇状の窓部１１ａを有し、中蓋３０を中心軸回りに、突起部３２を利用して回転することで窓部１１ａを通じての中蓋３０の露出部分（振り出し部分）を変更できる構成とされている。そして、蓋部１３には、蓋部１３を閉じたときに、窓部１１ａに嵌脱可能に嵌り込む凸部１４が設けられ、また、開放を容易にするための爪部１５も設けられている。
【００３８】
中蓋３０の振り出し孔３１が設けられている部分は、中心回りに扇形状の、複数の領域Ｓ１〜Ｓ４に区分されている（図８および図９参照）。この各領域Ｓ１〜Ｓ４は、窓部１１ａに対応する大きさとされ、領域Ｓ１〜Ｓ４を選択することで振り出し態様を変更することができる。つまり、領域Ｓ１〜Ｓ４ごとに振り出し孔３１の数を変更しているので、領域の選択により段階的に振り出し孔３１の数を変化させることができ、それにより一振り当たりの振り出し量の調整を容易にすることができる。また、段階的に振り出し孔３１の数を変化させる代わりに、図１０に示すように、領域Ｓ１１〜Ｓ１４ごとに振り出し孔３１の開孔面積を変更することで、開孔面積を段階的に変化させ、一振り当たりの振り出し量の調整を容易にするようにしてもよい。なお、中蓋３０は、容器１内の湿度を低く維持する乾燥機能付樹脂（例えば、佐々木化学薬品株式会社のドライキープ）で製造されている。よって、湿度によって固化しやすい容器内容物（粉粒体あるいは粉末体）の場合に特に有効である。
【００３９】
前記スライド壁付き振り出し孔選択キャップによれば、まず、（必要であれば外蓋９を少し緩めて）中蓋３０を回転させることで窓部１１ａを通じての中蓋３０の露出部分を、領域Ｓ１〜Ｓ４（又は領域Ｓ１１〜Ｓ１４）のいずれかに変更する。これにより、窓部１１ａを通じて露出される振り出し孔３１の数（又は開孔面積）を選択できる。つまり、目的とする振り出し量に相応しい領域Ｓ１〜Ｓ４（又は領域Ｓ１１〜Ｓ１４）を選択することができる。なお、一時的に振り出し量の微増減を図りたいときは、使用者が容器１を振る動作を加減すれば、その動作によっても増減できるのはもちろんである。
【００４０】
そして、スライド壁２２は、胴部１０に対し、胴部１０の中心軸回りにおいて、蓋部１３が設けられている部位から略９０度ずれた部位に設けられているので、蓋部１３の開閉動作に影響を与えることなく、上述したような機能の発揮するスライド壁２２をスライド移動可能に設けることができる。
【００４１】
また、蓋部１３を閉じた状態では、蓋部１３の凸部１４が中蓋押さえ１１の窓部１１ａに嵌合することになるので、窓部１１ａの残存空気を少なくすることができ、中蓋３０の乾燥性能を長く維持することができる。
【００４２】
前記実施の形態では、スライド壁２２を対向するように、図１において左右に２つ設けているが、右利き、左利きなどに応じて、いずれか１つだけとすることができるのはいうまでもない。
【符号の説明】
【００４３】
１  容器
２  ねじ部
３  口部
９  外蓋
１０  胴部
１１  中蓋押さえ
１１ａ  窓部
１１ｂ  開口
１２  開閉ヒンジ
１３  蓋部
１４  凸部
１５  爪部
２０  中央案内部
２０ａ  案内孔
２１  側部案内部
２２  スライド壁
２３  移動用ノブ
３０  中蓋
３１  振り出し孔
３２  凸部
３３  溝
Ｓ１〜Ｓ８  領域
【図１】
2016060495.tif 000003
【図２】
2016060495.tif 000004
【図３】
2016060495.tif 000005
【図４】
2016060495.tif 000006
【図５】
2016060495.tif 000007
【図６】
2016060495.tif 000008
【図７】
2016060495.tif 000009
【図８】
2016060495.tif 000010
【図９】
2016060495.tif 000011
【図１０】
2016060495.tif 000012